(57)【要約】【課題】よりコンパクトな構造で、遊技球の通過可能状態と通過規制状態とを確実に切り換えること。【解決手段】本実施形態のシャッター部８０は、遊技島に対して開閉可能に装着される遊技機３に対して、該遊技島から直接遊技球を供給する球供給器８１の通路６に設けられる装置であって、遊技機３の閉状態において遊技球を通過可能状態とし、遊技機３の開状態において遊技球を通過規制状態とするシャッター８３を備え、シャッター８３は、通過規制状態において通路６内で遊技球と当接する当接部９３ａ，９３ｂを有し、当接部９３ａ，９３ｂは、シャッター８３の移動方向に平行となる所定の長さを備えており、当接部９３ａ，９３ｂは、鉛直方向から見て、遊技球の中心を通る移動方向の直線に対して所定の距離だけ離れた位置で該遊技球と当接する。【選択図】図５
2018061692.tif 000002
【特許請求の範囲】
【請求項１】
遊技島に対して開閉可能に装着される遊技機に対して、該遊技島から直接遊技球を供給する球供給装置の通路に設けられるシャッター装置であって、
前記遊技機の閉状態において前記遊技球を通過可能状態とし、前記遊技機の開状態において前記遊技球を通過規制状態とする遮断部材を備え、
前記遮断部材は、前記通過規制状態において前記通路内で前記遊技球と当接する当接部を有し、
前記当接部は前記遮断部材の移動方向に平行となる所定の長さを備えており、
前記当接部は、鉛直方向から見て、前記遊技球の中心を通る前記移動方向の直線に対して所定の距離だけ離れた位置で該遊技球と当接することを特徴とする、シャッター装置。
【請求項２】
前記遮断部材を前記通過可能状態から前記通過規制状態へ移動させるように、前記遮断部材に対して弾性力を付与する弾性部材をさらに備えることを特徴とする、請求項１に記載のシャッター装置。
【請求項３】
前記当接部は、互いに対向する第１当接部および第２当接部を含むことを特徴とする、請求項１または２に記載のシャッター装置。
【請求項４】
前記遮断部材が、前記通路の軸方向に垂直な面内において直線方向に移動することによって、前記遊技球の通過可能状態と通過規制状態とが切り換えられることを特徴とする、請求項１〜３のいずれか一項に記載のシャッター装置。
【請求項５】
遊技球が内部を通過し、該通過する遊技球を遊技機に向けて放出する中空の球通路部材をさらに備え、
前記球通路部材は、前記遊技島から上下方向に延びる前記通路から水平方向に屈曲し、
前記遮断部材は、前記球通路部材に摺動自在にガイドされ、水平方向を前記移動方向として移動することを特徴とすることを特徴とする、請求項１〜４のいずれか一項に記載のシャッター装置。
【請求項６】
遊技島に対して開閉可能に装着される遊技機に対して、該遊技島から直接遊技球を供給する球供給装置であって、
請求項１〜５のいずれか一項に記載のシャッター装置を備えることを特徴とする、球供給装置。
【発明の詳細な説明】
【技術分野】
【０００１】
本発明は、遊技機に設けられるシャッター装置および球供給装置に関する。
【背景技術】
【０００２】
従来、遊技機は、遊技を行う遊技者に対して遊技球（パチンコ球）を払い出す構成を有している。図１２は、島の球通路から遊技機に球が供給される従来構成の一例を示す断面図である。また、図１３は、島の球通路から遊技機に球が供給される従来構成を拡大した断面図である。図１２，１３に示されるように、遊技機１０３は、島の球通路から供給されてきた遊技球を分岐通路１０６を介して球補給器１８１にて取り込み、ノズル１８０を通過して遊技機の背面側の上部に設けられた球タンク１８２に供給するようになっている。
【０００３】
また、補給機１８１は、遊技機１０３の開閉に応じて遊技球を通過可能状態および通過規制状態に切り換えるようになっている。具体的に、このレバー１９７は、ノズル１８０に沿って延びている第１部材１９７ａと、第１部材１９７ａに対して垂直に延びている第２部材１９７ｃとを含む略Ｌ字形状の部材であり、第１部材１９７ａの端部が屈曲して垂直に突出した当接部１９７ｃが形成されている。この当接部１９７ｃは、ノズル１８０の先端付近に設けられた孔１８０ａからノズル１８０の内部に出没自在であり、当接部１９７ｃがノズル１８０の孔１８０ａから内部に突出しているときが通過規制状態であり（図１２（ｂ），１３）、ノズル１８０の内部から当接部１９７ｃが退避しているときが通過可能状態である（図１２（ａ））。
【０００４】
すなわち、このレバー１９７は、遊技機１０３が閉状態になることにより遊技機１０３が遊技島に収まるとき、第２部材１９７ｂに遊技機１０３の球タンク１８２の後方側端面１８２ａが押し当たることによりバネの付勢方向とは反対側に回転して、当接部１９７ｃがノズル１８０の内部から退避する（図１２（ａ））。これにより、遊技球の通過を可能にしている。
【０００５】
一方、レバー１９７は、遊技機１０３が開状態になることにより遊技機１０３が遊技島に収まっていないとき、第２部材１９７ｂから遊技機１０３の球タンク１８２の後方側端面１８２ａが離れることによりバネの付勢により回転して、当接部１９７ｃが孔１８０ａから内部に突出することで、当接部１９７ｃが遊技球と当接する（図１２（ｂ），１３）。これにより、遊技球の通過を規制するようになっている。
【発明の概要】
【発明が解決しようとする課題】
【０００６】
しかしながら、上述の従来技術において、当接部１９７ｃに支持された遊技球の圧（遊技球の自重による圧）により当接部１９７ｃがノズル１８０の内部から退避するようレバー１９７が回転してしまい、島の球通路からの遊技球の取り込みを止めることができないといった問題がある。この問題は、遊技島とノズル１８０までの間が長く、レバー１９７が支持する遊技球が多くなると、レバー１９７にかかる遊技球の圧が大きくなるために生じやすくなる。
【０００７】
本発明は、前記の問題点に鑑みてなされたものであり、その目的は、よりコンパクトな構造で、遊技球の通過可能状態と通過規制状態とを確実に切り換えることが可能なシャッター装置および球供給装置を実現することにある。
【課題を解決するための手段】
【０００８】
上記の課題を解決するために、本発明のシャッター装置は、遊技島に対して開閉可能に装着される遊技機に対して、該遊技島から直接遊技球を供給する球供給装置の通路に設けられるシャッター装置であって、前記遊技機の閉状態において前記遊技球を通過可能状態とし、前記遊技機の開状態において前記遊技球を通過規制状態とする遮断部材を備え、前記遮断部材は、前記通過規制状態において前記通路内で前記遊技球と当接する当接部を有し、前記当接部は前記遮断部材の移動方向に平行となる所定の長さを備えており、前記当接部は、鉛直方向から見て、前記遊技球の中心を通る前記移動方向の直線に対して所定の距離だけ離れた位置で該遊技球と当接する。
【０００９】
上記の構成によれば、通過規制状態では、当接部は、当該遮断部材の移動方向に平行な方向において前記通路内に所定の長さで配置される。すなわち、遮断部材の移動に伴って、遊技球が当接部上を移動して通過規制状態となる。この際に、当接部は、鉛直方向から見て、遊技球の中心を通る移動方向の直線に対して、所定の距離だけ離れた位置で該遊技球と当接する。よって、遊技球と当接部とが、遊技球の中心を通る移動方向に垂直な直線上にて接している状態の場合、移動方向には遊技球の自重による力が遮断部材に対して加わらない。このため、遊技球が積み重なったとしても、遊技球の自重によって遮断部材が移動することがない。
【００１０】
さらに、当接部と遊技球とが、該遊技球の中心を通る移動方向に垂直な直線上よりも移動方向手前側で接している状態であっても、当接部は、移動方向において、前記遊技球の中心からずれた位置で該遊技球と当接するので、次のような効果を奏する。すなわち、遊技球の自重による力が遮断部材に対して加わる方向が、遮断部材の移動方向とずれることになるので、遮断部材の移動に影響を与える方向成分の力を低減することができる。よって、遊技球の通過可能状態と通過規制状態とを確実に切り換えるために必要とされる遮断部材の移動量を少なくすることができる。
【００１１】
以上より、よりコンパクトな構造で、遊技球の通過可能状態と通過規制状態とを確実に切り換えることが可能なシャッター装置を提供することができる。
【００１２】
本発明のシャッター装置は、前記遮断部材を前記通過可能状態から前記通過規制状態へ移動させるように、前記遮断部材に対して弾性力を付与する弾性部材をさらに備える。
【００１３】
上記の構成によれば、遮断部材に対して、弾性部材による弾性力に逆らう力を加えることによって、通過規制状態から通過可能状態へ移動させる一方、この弾性力に逆らう力を解除することによって、遮断部材を通過可能状態から通過規制状態へ移動させることが可能となる。
【００１４】
ここで、通過規制状態においては、弾性力によって遮断部材の位置が保持されることになるが、上記構成によれば、遮断部材に対して、遊技球の圧に伴い発生する弾性力に逆らう力を防止することができる。
【００１５】
本発明のシャッター装置において、前記当接部は、互いに対向する第１当接部および第２当接部を含む。
【００１６】
上記の構成によれば、１点で遊技球を支持するよりも安定させることができる。
【００１７】
本発明のシャッター装置は、前記遮断部材が、前記通路の軸方向に垂直な面内において直線方向に移動することによって、前記遊技球の通過可能状態と通過規制状態とが切り換えられる。
【００１８】
上記の構成によれば、直線方向に移動（スライド）し、遮断部材のうち遊技球に当接する部分は、直線方向（スライド方向）に延びている。
【００１９】
本発明のシャッター装置は、遊技球が内部を通過し、該通過する遊技球を遊技機に向けて放出する中空の球通路部材をさらに備え、前記球通路部材は、前記遊技島から上下方向に延びる前記通路から水平方向に屈曲し、前記遮断部材は、前記球通路部材に摺動自在にガイドされ、水平方向を前記移動方向として移動する構成とすることができる。
【００２０】
また、上記課題を解決するために、本発明の球供給装置は、遊技島に対して開閉可能に装着される遊技機に対して、該遊技島から直接遊技球を供給する球供給装置であって、上記シャッター装置を備える。
【００２１】
上記構成によれば、よりコンパクトな構造で、遊技球の通過可能状態と通過規制状態とを確実に切り換えることが可能な球供給装置を提供することができる。
【発明の効果】
【００２２】
本発明は、よりコンパクトな構造で、遊技球の通過可能状態と通過規制状態とを確実に切り換えることができるといった効果を奏する。
【図面の簡単な説明】
【００２３】
【図１】本実施形態における遊技島を前方から見た斜視図である。
【図２】本実施形態における遊技機の構成を示す斜視図である。
【図３】開状態の遊技機を示す斜視図である。
【図４】本実施形態における開状態のシャッター部を、遊技機とともに示す図である。
【図５】本実施形態における閉状態のシャッター部を、遊技機とともに示す図である。
【図６】本実施形態におけるシャッター部を示す斜視図である。
【図７】本実施形態におけるシャッター部の開閉を示す図である。
【図８】球を通過させ易くすることを優先した別形態のシャッター部の開閉を示す図である。
【図９】球の通過を規制し易くすることを優先した別形態におけるシャッター部の開閉を示す図である。
【図１０】本願のシャッター部と別形態のシャッター部とのストロークの比較を示す図である。
【図１１】本願のシャッター部と別形態のシャッター部についての分力を計測した図である。
【図１２】島の球通路から遊技機に球が供給される従来構成の一例を示す断面図である。
【図１３】島の球通路から遊技機に球が供給される従来構成を拡大した断面図である。
【発明を実施するための形態】
【００２４】
以下、本発明の実施の形態について、詳細に説明する。図１は、本実施形態における遊技島（パチンコ島）を前方から見た斜視図である。図２は、本実施形態における遊技機の構成を示す斜視図である。図１，２に示されるように、遊技島２は、複数の遊技機（パチンコ）３と、球補給器８１と、シャッター部８０と、島の球通路５と、球貯留装置７とを含む。
【００２５】
遊技島２において、遊技機３が、島の球通路５より下方に、島の球通路５に沿って複数台並設されている。そして、島の球通路５から複数の遊技機３それぞれに繋がる複数の分岐通路６が設けられ、球貯留装置７が供給する遊技球（以下、単に「球」という）が島の球通路５から各分岐通路６内を流下する。そして、その球が球補給器８１およびシャッター部８０を通過して、各遊技機３に供給されるようになっている。すなわち、分岐通路６から球補給器８１およびシャッター部８０で、遊技島２からの球がシャッター部８０まで通過するよう通路が形成されている。シャッター８０部は、球補給器８１より後流側の通路に接続されている。
【００２６】
また、遊技機３に隣接して台間機１が設けられ、台間機１は、紙幣（現金）を投入するための紙幣投入口と、遊技者の操作を受け付ける操作パネルを前面側に有し、紙幣投入口より紙幣が投入されると、投入された紙幣に応じた数量の球を放出口より放出することが可能となり、遊技機の操作部より球払出要求のあった球数を遊技者に提供する構成になっている。そして、遊技者は、遊技機３から提供された球を用いて、遊技を行うことも可能である。
【００２７】
また、この遊技機３は、島の球通路５から直接に球が供給される構成であり、図３に示されるように遊技島２の枠体２ａの側面側において軸支されて、開閉可能となっている。図１，２は、枠体２ａに対する遊技機２の閉状態を示し、図３は、枠体２ａに対する遊技機２の開状態を示している。遊技機３の開閉動作は、メンテナンスや球詰まりの際に利用される。
【００２８】
遊技機３は、島の球通路５から繋がる分岐通路６と接続され、球貯留装置７（図１）が供給する球が島の球通路５から各分岐通路６内を流下し、球補給器８１およびシャッター部８０を通って、遊技機３内の球タンク８２に供給されるようになっている。球タンク８２は、遊技機３の背面側の上部に設けられ、遊技機３と一体となっている。遊技機３が閉状態のときには、球タンク８２がシャッター部８０の下方に位置するようになっている。
【００２９】
シャッター部８０は、島の球通路５から流下する球を遊技機３に供給する開口を開閉させることに応じて通過可能状態と通過規制状態とを切り換えるものであり、開口を開くよう移動し、通過規制状態において、開口を一部閉じるよう移動し、水平面内で該開閉方向に垂直な方向から球に当接することで球の通過を規制する。
【００３０】
図４（ａ）は、遊技機の側面に平行であって、開状態のシャッター部を通る断面を示す図である。図４（ｂ）は、図４（ａ）のＣ−Ｃ矢視断面図である。図５（ａ）は、遊技機の側面に平行であって、閉状態のシャッター部を通る断面を示す図である。図５（ｂ）は、図５（ａ）のＤ−Ｄ矢視断面図である。図６（ａ）は、シャッター部が開状態における斜視図である。図６（ｂ）は、シャッター部が閉状態における斜視図である。
【００３１】
なお、図４（ｂ），５（ｂ）では、シャッター部８０の前後方向に平行であって、シャッター部８０の開口９１の中心を通る線ａと、シャッター部８０の前後方向に対して垂直な方向であって、シャッター部８０の開口９１の中心を通る線ｂが示されている。
【００３２】
図４〜６に示されるように、シャッター部８０は、球通路部８４と、シャッター８３と、バネ８５，８６とを含む。球通路部８４は、球補給器８１からの球が内部を通過して、球タンク８２へと流れるよう、球補給器８１に接続される上面側の矩形の開口９１と、前面側の矩形の開口９２とを有する略直方体形状の中空のケースである。球通路部８４内を通過した球は、開口９２から落下して、球タンク８２に溜められる。また、球通路部８４は、両側面における前側それぞれにバネ取付部８９，９０が形成されている。
【００３３】
シャッター８３は、球通路部８４に対して前後方向にスライド自在に、球通路部８４の後方側から球通路部８４の外周を一部覆うように装着される。シャッター８３は、球通路部８４の上面に位置する上面部材９３と、球通路部８４の側面に位置する側面部材９４，９５と、球通路部８４の背面に位置する背面部材９７とから構成される。
【００３４】
上面部材９３は、略Ｃ字形状であり、互いに対向する当接部９３ａ，９３ｂが前方側（スライド方向）に延びている。当接部９３ａ，９３ｂ間の幅は、開口９１の幅より少し狭くなっている。背面部材９７は、球通路部８４の底面より下側まで延びている。また、側面部材９４，９５それぞれには、バネ取付部８７，８８が形成されている。バネ取付部８７とバネ取付部８９の間はバネ８５により接続され、バネ取付部８８とバネ取付部９０の間は、バネ８６により接続され、バネ８５，８６はシャッター８３を前方側に付勢する。
【００３５】
また、側面部材９４，９５それぞれには、互いに対向するよう、前後方向（スライド方向）に沿って延びるガイド溝９４ａ，９５ａが形成されている。また、球通路部８４の上面には、左右方向（側面部材９４，９５を横切る方向）に延びる摺動ピン９６が固定されており、ガイド溝９４ａ，９５ａに摺動可能に挿入されている。
【００３６】
遊技機３が遊技島２の枠体２ａに対して閉状態となっているときには、シャッター部８０の背面部材９７に球タンク８２の後方側の端面８２ａが当接することで、ガイド溝９４ａ，９５ａに案内されてシャッター８３が後方側に移動する。これにより、上面部材９３の当接部９３ａ，９３ｂが球通路部８４の開口９１より後退するようシャッター８３が後方側にスライドすることで、シャッター部８０は開状態となる（図４，６（ａ））。
【００３７】
一方、遊技機３が遊技島２の枠体２ａに対して開状態となっているときには、シャッター部８０の背面部材９７から球タンク８２の後方側の端面８２ａが離れ、ガイド溝９４ａ，９５ａに案内されてシャッター８３が前方側に移動する。これにより、上面部材９３の当接部９３ａ，９３ｂが開口９１内に突出し、線ｂ上に位置するようシャッター８３が前方側にスライドすることで、シャッター部８０は閉状態となる（図５，６（ｂ））。このとき、開口９１内に左右方向から突出し、スライド方向に延びる当接部９３ａ，９３ｂが、分岐通路６からの球を線ｂ上にて支持する。これにより、シャッター８３が閉状態のときに、スライド方向に球の圧が加わらず、スライド方向に対して垂直な方向にしか球の圧が生じないので、球圧が高くなっても、確実に球の取り込みを止めることが可能である。
【００３８】
次に、本願のシャッター部と別形態のシャッター部との違いについて説明する。本願のシャッター部８０のシャッター８３は、その移動方向に平行となる所定の長さを有する当接部９３ａ，９３ｂであって、通過規制状態において分岐通路６内で球と当接する当接部９３ａ，９３ｂを有し、当接部９３ａ，９３ｂは、鉛直方向から見て、球の中心を通る移動方向の直線に対して所定の距離だけ離れた位置で球と当接する構成である。
【００３９】
この構成の場合、図７（ａ），（ｂ）に示されるように、遊技機２が開状態のとき、当接部９３ａ，９３ｂが開口９１内に左右方向から突出して、線ｂ上で球と当接することで球の通過を規制する一方で、図７（ｃ），（ｄ）に示されるように、遊技機２が閉状態のとき、当接部９３ａ，９３ｂが開口９１から完全に退避しなくても、球を通過させることが可能となる。
【００４０】
それに対して、別形態のシャッター部２８０は、本願のシャッター８０と移動方向が同じであり、通過規制状態において、球の中心を通る移動方向（線ａ上）において当接部２９３ａが球と当接する構成である。
【００４１】
遊技機２が閉状態のとき、球を通過させ易くすることを優先した図８の場合において、本願と同じストローク量で別形態のシャッター部２８０のシャッター２８３を移動させると、遊技機２が閉状態のときは当接部２９３ａが開口９１から完全に退避するため、球を確実に通過させることができるが（図８（ｃ），（ｄ））、遊技機２が開状態のときはストローク量が短いために、当接部２９３ａが球の中心まで届かず、線ａ上において球の中心より後方側で当接部２９３ａが球に当接することになる（図８（ａ），（ｂ））。このため、シャッター２８３が開く方向に分力が発生してしまい、球の自重によりシャッター２８３が開いてしまう。
【００４２】
一方、遊技機２が開状態のとき、球の通過を規制し易くすることを優先した図９の場合において、本願と同じストローク量で別形態のシャッター部２８０のシャッター２８３を移動させると、遊技機２が開状態のとき当接部２９３ａが球の中心まで届くので、球の自重によりシャッター２８３が開く方向に分力は発生しないが（図９（ａ），（ｂ））、遊技機２が閉状態のときには、当接部２９３ａが開口９１から十分に退避せずに、当接部２９３ａが球に当接してしまい、球が通過できない（図９（ｃ），（ｄ））。
【００４３】
従って、別形態のシャッター部２８０は、本願のシャッター部８０のシャッター８３のストローク量より長く設定しなければならない。また、図９の場合には、ストローク量を長くすると、隙間Ｓを確保するために装置サイズが大きくなってしまうが、本願のシャッター部８０は、ストローク量を抑えて、装置サイズを小さくすることができている。
【００４４】
図１０は、本願のシャッター部と別形態のシャッター部とのストロークの比較を示す図である。図１０（ａ）では、本願の当接部９３ａ，９３ｂ間の長さが９ｍｍである場合を例に説明する。図１０（ａ）に示されるように、本願のシャッター部８０は、（１）の通過可能状態から後方側に３．３ｍｍ移動して（２）の状態となれば、当接部９３ａ，９３ｂが球と当接しない。つまり、シャッター８３のストローク量が３．３ｍｍであれば、球の通過と規制を確実に実現することができる。そして、ストローク量をさらに短くしても、球の通過と規制を十分に実現することができる。
【００４５】
例えば、ストローク量が２ｍｍとなるように、（２）の通過可能状態における当接部９３ａ，９３ｂの位置は変えずに、（３）の通過規制状態では、（１）の通過規制状態よりも当接部９３ａ，９３ｂが後方側に位置させた場合であっても、（３）の通過規制状態においてシャッター８３が開く方向に小さい（３０％程度）分力が発生してしまうが、十分に球の通過を規制することができる。
【００４６】
一方、図１０（ｂ）に示されるように、別形態のシャッター部２８０のシャッター２８３は、ストローク量が２ｍｍの場合、通過可能状態に対して図１０（ｂ）の（１）の状態のとき（遊技機２が開状態のとき）に、図１０（ａ）の（２）と同じ位置まで当接部２９３ａが開口９１内に突出すると（当接部２９３ａが球の中心より後方側で当接すると）、シャッター２８３が開く方向に大きな（８０％程度）分力が発生してしまうので、図１０（ｂ）の（２）のように、球圧が加わると当接部２９３ａが開口９１から退避してしまい、十分に球の通過を規制することができない。
【００４７】
図１１は、本願のシャッター部と別形態のシャッター部についての分力を計測した図である。ここでは、別形態のシャッター部２８０と本願のシャッター部８０において、通過規制状態において、同じ位置に当接部が位置し、そのときのシャッターを開く方向に発生する分力を比較する。また、球圧を１０ｇとし、球との接触角を３０°とする。
【００４８】
図１１に示されるように、別形態のシャッター部２８０では、シャッター２８３を開く方向に発生する分力Ｆ２は、Ｆｔａｎ３０°により５．７ｇとなる。一方、本願のシャッター部８０では、シャッター８３を開く方向に発生する分力Ｆ４は、Ｆ３ｃｏｓ５５．３°であり、Ｆ３は、Ｆｔａｎ２７．８°により、Ｆ４は３．００ｇとなる。このように、シャッターのストローク量が短い場合であっても、別形態のシャッター部２８０よりも、球圧によりシャッター８３が開いてしまうことを抑えることが本願では可能である。
【００４９】
以上説明したように、本実施形態におけるシャッター部８０は、遊技島２に対して開閉可能に装着される遊技機３に対して、該遊技島２から直接球を供給する球補給器８１の通路６に設けられるシャッター装置であって、遊技機３の閉状態において球を通過可能状態とし、遊技機３の開状態において球を通過規制状態とするシャッター８３を備え、シャッター８３は、通過規制状態において通路６内で球と当接する当接部９３ａ，９３ｂを有し、当接部９３ａ，９３ｂは、シャッター８３の移動方向に平行となる所定の長さを備えており、当接部９３ａ，９３ｂは、鉛直方向から見て、球の中心を通る移動方向の直線に対して所定の距離だけ離れた位置で該球と当接する。
【００５０】
この構成によれば、通過規制状態では、当接部９３ａ，９３ｂは、当該シャッター８３の移動方向に平行な方向において通路６内に所定の長さで配置される。すなわち、シャッター８３の移動に伴って、球が当接部９３ａ，９３ｂ上を移動して通過規制状態となる。この際に、当接部９３ａ，９３ｂは、鉛直方向から見て、球の中心を通る移動方向の直線に対して、所定の距離だけ離れた位置で該球と当接する。よって、球と当接部９３ａ，９３ｂとが、球の中心を通る移動方向に垂直な直線上にて接している状態の場合、移動方向には球の自重による力がシャッター８３に対して加わらない。このため、球が積み重なったとしても、球の自重によってシャッター８３が移動することがない。
【００５１】
さらに、当接部９３ａ，９３ｂと球とが、該球の中心を通る移動方向に垂直な直線上よりも移動方向手前側で接している状態であっても、当接部９３ａ，９３ｂは、移動方向において、球の中心からずれた位置で該球と当接するので、次のような効果を奏する。すなわち、球の自重による力がシャッター８３に対して加わる方向が、シャッター８３の移動方向とずれることになるので、シャッター８３の移動に影響を与える方向成分の力を低減することができる。よって、球の通過可能状態と通過規制状態とを確実に切り換えるために必要とされるシャッター８３の移動量を少なくすることができる。以上より、よりコンパクトな構造で、球の通過可能状態と通過規制状態とを確実に切り換えることが可能である。
【００５２】
なお、本実施形態においては、シャッター８３が２つの当接部９３ａ，９３ｂを有する構成としたが、いずれか一方を有する構成であってもよい。
【００５３】
また、本実施形態では、シャッター８３が前後方向にスライドすることで、開口９１を開閉する構成であったが、シャッターが回転することで、開口９１を開閉する構成であってもよい。この場合、シャッターは、分岐通路６の軸方向に垂直な面内において、支持軸を中心とした円弧形状に沿って移動し、円弧形状に沿って延びる当接部を有する。この当接部が開口９１内に突出して、球に当接することで通過規制状態となり、当接部が開口９１内から退避することで、通過可能状態となる。
【００５４】
なお、この回転方式のシャッターでは、背面部材９７が球タンク８２の後端面８２ａに対して傾斜しており、背面部材９７に後端面８２ａの左側の端部が押し当たることでシャッターが回転する構成となっている。このため、後端面８２ａが背面部材９７に引っかからないよう、背面部材９７は左右方向に広い平坦な面であることが好ましい。
【００５５】
それに対して、スライド方式のシャッターでは、前後方向に移動する構成であるので、背面部材９７は幅広くなくても、平坦でなくてもよい。
【符号の説明】
【００５６】
２  遊技島
３  遊技機
６  分岐通路（通路）
８０  シャッター部（シャッター装置）
８２  球タンク
８２ａ  端面
８３  シャッター（遮断部材）
８４  球通路部
８５、８６  バネ
９１、９２  開口
９３ａ，９３ｂ  当接部
９４ａ，９５ａ  ガイド溝（案内溝）
９６  摺動ピン
【図１】
2018061692.tif 000003
【図２】
2018061692.tif 000004
【図３】
2018061692.tif 000005
【図４】
2018061692.tif 000006
【図５】
2018061692.tif 000007
【図６】
2018061692.tif 000008
【図７】
2018061692.tif 000009
【図８】
2018061692.tif 000010
【図９】
2018061692.tif 000011
【図１０】
2018061692.tif 000012
【図１１】
2018061692.tif 000013
【図１２】
2018061692.tif 000014
【図１３】
2018061692.tif 000015